(57)【要約】  感知照明装置は、電球ケース本体（１１、２１、３１）、発光モジュール（１３、２３、３３）及びセンサーと駆動モジュール（１５、２５、３５）で構成される。前記発光モジュールは（１３、２３、３３）前記電球ケース本体（１１、２１、３１）に設置されると共に前記センサーと前記駆動モジュール（１５、２５、３５）に電気的に接続される。さらに前記発光モジュール（１３、２３、３３）には複数の発光部材（１３１、２３１）を有する第１回路基板（１３０、２３０）が設置されている。前記センサーと前記駆動モジュール（１５、２５、３５）は検知装置（１５１、２５１、３５４）を備える第２回路基板（１５０、２５０、３５５）を少なくとも有している。前記第１回路基板（１３０、２３０）は開口部（１３０ａ、２３０ａ）を有する。前記第２回路基板（１５０、２５０、３５５）は前記検知装置（１５１、２５１、３５４）がこれらの前記発光部材（１３１、２３１）によって囲まれるように、前記第１回路基板（１３０、２３０）の前記開口部（１３０ａ、２３０ａ）を穿設する。【選択図】図２
2014517485.tif 000002
【特許請求の範囲】
【請求項１】
電球ケース本体と、
前記電球ケース本体上に設けられ、開口部を有する第１回路基板と前記第１回路基板に設けられる複数の発光部材とを含む発光モジュールと、
前記発光モジュールに電気的に接続され、感知装置が設けられる第２回路基板を少なくとも含むセンサーと駆動モジュールとから構成され、
前記第２回路基板は前記第１回路基板の前記開口部に穿設され、前記感知装置は前記これら発光部材によって囲まれることを特徴とする、感知照明装置。
【請求項２】
前記電球ケース本体は収納空間を定め、前記第１回路基板を前記電球ケース本体上に設け、前記電球ケース本体の前記収納空間が前記発光モジュールの前記第１回路基板の前記開口部とつながるようにさせ、前記第２回路基板の一部を前記電球ケース本体の前記収納空間に収納する時、前記第２回路基板の別の一部は前記発光モジュールの前記第１回路基板の前記開口部に穿設され、前記開口部は前記第１回路基板の中央部分の近くに形成されることを特徴とする、請求項１に記載の感知照明装置。
【請求項３】
前記第２回路基板は感知回路基板と駆動回路基板を含み、前記駆動回路基板と前記感知回路基板は電気的に接続され、前記感知装置は前記感知回路基板上に設けられ、前記駆動回路基板は２つの電極、駆動集積チップ、トランスを含むことを特徴とする、請求項２に記載の感知照明装置。
【請求項４】
前記感知装置は人体赤外線感知部材であることを特徴とする、請求項３に記載の感知照明装置。
【請求項５】
前記センサーと駆動モジュールはさらに遮光マスクを含み、前記遮光マスクは前記第１回路基板に接合され、前記第２回路基板上の前記人体赤外線感知部材を覆設し、前記人体赤外線感知部材と前記これら発光部材を隔離させ、前記これら発光部材は複数のＬＥＤ発光部材であることを特徴とする、請求項４に記載の感知照明装置。
【請求項６】
前記センサーと駆動モジュールはさらにレンズを含み、前記レンズは前記第１回路基板の一端から離れた前記遮光マスクに設けられ、前記レンズと前記遮光マスク内に覆設される前記人体赤外線感知部材の間には所定の距離を有するようにさせることを特徴とする、請求項５に記載の感知照明装置。
【請求項７】
さらに前記透光ランプシェードを含み、前記透光ランプシェードは前記発光モジュールを覆設し、前記電球ケース本体に接合されることを特徴とする、請求項６に記載の感知照明装置。
【請求項８】
前記透光ランプシェードの頂点には開孔部が形成され、前記遮光マスクと前記レンズ中の少なくとも１つは前記開孔部を穿設することを特徴とする、請求項７に記載の感知照明装置。
【請求項９】
前記電球ケース本体はランプカップ、中間スリーブと口金部モジュールを含み、前記中間スリーブは前記ランプカップ内側を穿設し、前記中間スリーブは相対する両端を有し、前記中間スリーブの一端は前記口金部モジュールに接続され、前記中間スリーブの別の一端は前記第１回路基板に接続されることを特徴とする、請求項８に記載の感知照明装置。
【請求項１０】
前記口金部モジュールは口金部内部チューブ、導体ケースと導電部材を含み、前記導体ケースは前記口金部内部スリーブの外側縁表面を囲み、前記導電部材は前記口金部内部チューブの底面に挿設されることを特徴とする、請求項９に記載の感知照明装置。
【請求項１１】
前記電球ケース本体はさらに第１導電ピンと第２導電ピンを含み、前記第１導電ピンと前記第２導電ピンの第１端はそれぞれ前記駆動回路基板の前記２つの電極に電気的に接続され、前記導体ケースは前記口金部内部チューブに接合され、前記第１導電ピンの第２端は前記導体ケースと前記口金部内部チューブのスリットに伸び込み、前記第１導電ピンの第２端と前記導体ケースを電気的に接続させることを特徴とする、請求項１０に記載の感知照明装置。
【請求項１２】
前記電球ケース本体はさらに第１導電ピンと第２導電ピンを含み、前記第1導電ピンと前記第２導電ピンの第1端はそれぞれ前記駆動回路基板の前記２つの電極に電気的に接続され、前記導電部材は前記口金部内部チューブの底面が定める接続孔に設けられ、前記導電部材の少なくとも一部は前記口金部内部チューブ外に露出し、前記第２導電ピンの第２端は前記接続孔に挿入され、前記導電部材と電気的に接続されることを特徴とする、請求項１０に記載の感知照明装置。
【請求項１３】
前記感知装置はマイクロウェーブ感知部材であることを特徴とする、請求項３に記載の感知照明装置。
【請求項１４】
さらに透光ランプシェードを含み、前記透光ランプシェードは前記発光モジュールを覆設し、前記電球ケース本体に接合されることを特徴とする、請求項１３に記載の感知照明装置。
【請求項１５】
前記電球ケース本体はランプカップ、中間スリーブと口金部モジュールを含み、前記中間スリーブは前記ランプカップ内側を穿設し、前記中間スリーブは両端を有し、前記中間スリーブの一端は前記口金部モジュールに接続され、前記中間スリーブの別の一端は前記第1回路基板に接続されることを特徴とする、請求項１４に記載の感知照明装置。
【請求項１６】
前記マイクロウェーブ感知部材は上部カバー、アンテナモジュール、増幅回路基板と下部カバーを含み、前記アンテナモジュールと前記増幅回路基板は前記上部カバーと前記下部カバーの間で挟設され、前記アンテナモジュールと前記増幅回路基板は相互に組み合わせられることを特徴とする、請求項１５に記載の感知照明装置。
【請求項１７】
前記口金部モジュールは口金部内部チューブ、導体ケースと導電部材を含み、前記導体ケースは前記口金部内部スリーブの外側縁表面を囲み、前記導電部材は前記口金部内部チューブの底面に挿設されることを特徴とする、請求項１６に記載の感知照明装置。
【請求項１８】
前記電球ケース本体はさらに第1導電ピンと第２導電ピンを含み、前記第1導電ピンと前記第２導電ピンの第1端はそれぞれ前記駆動回路基板の前記２つの電極に電気的に接続され、前記導体ケースは前記口金部内部チューブに螺合され、前記第1導電ピンの第２端は前記導体ケースと前記口金部内部チューブのスリットに伸び込み、前記第1導電ピンの第２端と前記導体ケースを電気的に接続させることを特徴とする、請求項１７に記載の感知照明装置。
【請求項１９】
前記電球ケース体はさらに第1導電ピンと第２導電ピンを含み、前記第1導電ピンと前記第２導電ピンの第1端はそれぞれ前記駆動回路基板の前記２つの電極に電気的に接続され、前記導電部材は前記口金部内部チューブの底面が定める接続孔に設けられ、前記導電部材は少なくとも一部が前記口金部内部チューブ外に露出し、前記第２導電ピンの第２端は前記接続孔に挿入され、前記導電部材と電気的に接続されることを特徴とする、請求項１７に記載の感知照明装置。
【請求項２０】
前記電球ケース体は高熱伝導率の合金放熱板を含み、前記第1回路基板は前記電球ケース体の前記高熱伝導率の合金放熱板上に設けられることを特徴とする、請求項１に記載の感知照明装置。
【請求項２１】
前記発光モジュールの前記第1回路基板の中央部近くの高さは周辺部近くの高さより高いことを特徴とする、請求項１に記載の感知照明装置。
【請求項２２】
電球ケース本体と、
前記電球ケース本体上に設けられ、環状開口部を有する第1回路基板と前記第1回路基板に設けられる複数の発光部材とを含む発光モジュールと、
前記発光モジュールに電気的に接続され、人体赤外線感知部材が設けられる第２回路基板を少なくとも含むセンサーと駆動モジュールとから構成され、
前記第２回路基板は前記第1回路基板の前記環状開口部に穿設され、前記感知装置は前記これら発光部材によって囲まれることを特徴とする、感知照明装置。
【請求項２３】
前記電球ケース本体は収納空間を定め、前記電球ケース本体の前記収納空間が前記発光モジュールの前記第1回路基板の前記環状開口部とつながるようにさせ、前記第２回路基板の一部を前記電球ケース本体の前記収納空間に収納する時、前記第２回路基板の別の一部は前記発光モジュールの前記第1回路基板の前記環状開口部に穿設され、前記環状開口部は前記第1回路基板の中央部分の近くに形成されることを特徴とする、請求項２２に記載の感知照明装置。
【請求項２４】
前記センサーと駆動モジュールはさらに遮光マスクを含み、前記遮光マスクは前記第1回路基板に接合され、前記第２回路基板上の前記人体赤外線感知部材を覆設し、前記人体赤外線感知部材と前記これら発光部材を隔離させ、前記これら発光部材は複数のＬＥＤ発光部材であることを特徴とする、請求項２３に記載の感知照明装置。
【請求項２５】
前記センサーと駆動モジュールはさらにレンズを含み、前記レンズは前記第1回路基板の一端から離れた前記遮光マスクに設けられ、前記レンズと前記遮光マスク内に覆設される前記人体赤外線感知部材の間には所定の距離を有するようにさせることを特徴とする、請求項２４に記載の感知照明装置。
【請求項２６】
さらに前記透光ランプシェードを含み、前記透光ランプシェードは前記発光モジュールを覆設し、前記電球ケース本体に接合され、前記透光マスクの頂点には開孔部が形成され、前記遮光マスクと前記レンズ中の少なくとも１つは前記開孔部を穿設することを特徴とする、請求項２５に記載の感知照明装置。
【請求項２７】
電球ケース本体と、
前記電球ケース本体上に設けられ、環状開口部を有する第1回路基板と前記第1回路基板に設けられる複数の発光部材とを含む発光モジュールと、
前記発光モジュールに電気的に接続され、マイクロウェーブ感知部材が設けられる第２回路基板を少なくとも含むセンサーと駆動モジュールとから構成され、
前記第２回路基板は前記第1回路基板の前記環状開口部に穿設され、前記感知装置は前記これら発光部材によって囲まれることを特徴とする、感知照明装置。
【請求項２８】
前記電球ケース本体は収納空間を定め、前記電球ケース本体の前記収納空間が前記発光モジュールの前記第1回路基板の前記環状開口部とつながるようにさせ、前記第２回路基板の一部を前記電球ケース本体の前記収納空間に収納する時、前記第２回路基板の別の一部は前記発光モジュールの前記第1回路基板の前記環状開口部に穿設され、前記環状開口部は前記第1回路基板の中央部分の近くに形成されることを特徴とする、請求項２７に記載の感知照明装置。
【請求項２９】
前記マイクロウェーブ感知部材は上部カバー、アンテナモジュール、増幅回路基板と下部カバーを含み、前記アンテナモジュールと前記増幅回路基板は前記上部カバーと前記下部カバーの間で挟設され、前記アンテナモジュールと前記増幅回路基板は相互に組み合わせられることを特徴とする、請求項２８に記載の感知照明装置。
【請求項３０】
電球ケース本体と、
前記電球ケース本体上に設けられ、第1回路基板と前記第1回路基板に設けられる複数の発光部材とを含む発光モジュールと、
前記発光モジュールと電気的に接続され、感知装置と前記第1回路基板と同じではない第２回路基板を含み、前記感知装置は前記第２回路基板上に設けられる感知モジュールとを含み、
前記感知モジュールの前記第２回路基板は前記発光モジュールの前記第1回路基板の中央部分の近くで組み合わせられ、前記感知装置が前記これら発光部材によって囲まれるようにさせることを特徴とする、感知照明装置。
【請求項３１】
前記第２回路基板は感知回路基板と駆動回路基板を含み、前記駆動回路基板と前記感知回路基板は電気的に接続され、前記感知装置は前記感知回路基板上に設けられ、前記駆動回路基板は２つの電極、駆動集積チップ、トランスを含むことを特徴とする、請求項３０に記載の感知照明装置。
【請求項３２】
前記感知モジュールは人体赤外線感知部材とマイクロウェーブ感知部材のいずれか１つであることを特徴とする、請求項３１に記載の感知照明装置。
【請求項３３】
前記電球ケース本体はさらに放熱ブロックを含み、前記放熱ブロックは前記駆動集積チップ及び／或いは前記トランスと直接当接することを特徴とする、請求項３２に記載の感知照明装置。
【請求項３４】
前記電球ケース本体はさらに放熱ブロックとシリコーンゲルガスケットを含み、前記シリコーンゲルガスケットは前記放熱ブロックと前記駆動回路基板の駆動集積チップの間に設けられ、及び／或いは前記シリコーンゲルガスケットは前記放熱ブロックとトランスの間に設けられることを特徴とする、請求項３２に記載の感知照明装置。
【請求項３５】
前記電球ケース本体はさらに高熱伝導率の合金放熱板とアルミニウム製放熱装置を含み、前記合金放熱板の平面と前記アルミニウム製放熱装置は接続され、前記合金放熱板の相対する別の平面は実装平面であり、前記第1回路基板を設置するために用いられることを特徴とする、請求項３２に記載の感知照明装置。
【発明の詳細な説明】
【技術分野】
【０００１】
本発明は、感知機能を有する感知照明装置に関する。
【背景技術】
【０００２】
各国政府が炭素削減政策を強力に推進するに伴い、市場では省エネを強調したランプ構造がどんどん多くなっており、現在良く見られる方法の１つは照明装置上に感知装置を実装することにより人体の動きを感知し、ユーザーがいるかいないかの状態に基づき、ライトの明暗を調整する。
【発明の概要】
【発明が解決しようとする課題】
【０００３】
しかしながら、前述した従来の技術では、回路基板が占める体積とその構造設置の考慮により、感知装置は通常独立して照明装置が実装される外側に設ける必要があり、感知装置の検知範囲と発光モジュールの照射範囲には一部のずれがあり、或いは、感知装置は照明装置によって遮断されるという状況が生じる。例えば、もし発光モジュールの照射範囲を確保したいのであれば、感知装置の検知範囲は片方にずれ、もし感知装置の検知範囲を確保したいのであれば、発光モジュールの照射範囲は片方にずれる。従って、現在の感知装置を有する照明装置にはまだ改善の余地がある。
【０００４】
これ以外に、いくつかのメーカーは直接感知装置を照明装置の中央部分に設けているが、この設置により、感知装置は必ず発光モジュールの光線や熱エネルギーの影響を受けることになり、感知装置の感知が敏感でなくなるという欠点がある。さらに、現有技術中の感知装置と発光モジュールは同一の回路基板上に溶接されるため、感知装置と発光モジュールのいずれかが破損すると、別の一方が正常状態であったとしても使用することができず、交換することができず、環境によくない。
【０００５】
そこで、本発明者は上記の欠点が改善可能と考え、鋭意検討を重ねた結果、合理的かつ効果的に課題を改善する本発明の提案に到った。
【０００６】
本発明は、このような従来の問題に鑑みてなされたものである。上記課題解決のため、本発明は、感知照明装置を提供することを主目的とする。つまり、発光ダイオードが設けられる回路基板と感知装置が設けられる回路基板を適切に組み立てることにより、空間を有効に利用し、感知装置を感知照明装置の中央部分近くに設けるようにさせ、複数個の発光部材によって囲まれるようにさせる。
【０００７】
上述した課題を解決し、目的を達成するために、本発明に係る感知照明装置は電球ケース本体と、前記電球ケース本体上に設けられ、開口部を有する第１回路基板と前記第１回路基板に設けられる複数の発光部材とを含む発光モジュールと、前記発光モジュールに電気的に接続され、感知装置が設けられる第２回路基板を少なくとも含むセンサーと駆動モジュールとから構成され、前記第２回路基板は前記第１回路基板の前記開口部に穿設され、前記感知装置は前記これら発光部材によって囲まれることを特徴とする。
【０００８】
好ましくは、前記電球ケース本体は収納空間を定め、前記第１回路基板を前記電球ケース本体上に設け、前記電球ケース本体の前記収納空間が前記発光モジュールの前記第１回路基板の前記開口部とつながるようにさせ、前記第２回路基板の一部を前記電球ケース本体の前記収納空間に収納する時、前記第２回路基板の別の一部は前記発光モジュールの前記第１回路基板の前記開口部に穿設され、前記開口部は前記第１回路基板の中央部分の近くに形成されることを特徴とする。
【０００９】
好ましくは、前記第２回路基板は感知回路基板と駆動回路基板を含み、前記駆動回路基板と前記感知回路基板は電気的に接続され、前記感知装置は前記感知回路基板上に設けられ、前記駆動回路基板は２つの電極、駆動集積チップ、トランスを含むことを特徴とする。
【００１０】
好ましくは、前記感知装置は人体赤外線（ＰＩＲ）感知部材であることを特徴とする。
【００１１】
好ましくは、前記センサーと駆動モジュールはさらに遮光マスクを含み、前記遮光マスクは前記第１回路基板に接合され、前記第２回路基板上の前記人体赤外線感知部材を覆設し、前記人体赤外線感知部材と前記これら発光部材を隔離させ、前記これら発光部材は複数のＬＥＤ発光部材であることを特徴とする。
【００１２】
好ましくは、前記センサーと駆動モジュールはさらにレンズを含み、前記レンズは前記第１回路基板の一端から離れた前記遮光マスクに設けられ、前記レンズと前記遮光マスク内に覆設される前記人体赤外線感知部材の間には所定の距離を有するようにさせることを特徴とする。
【００１３】
好ましくは、さらに前記透光ランプシェードを含み、前記透光ランプシェードは前記発光モジュールを覆設し、前記電球ケース本体に接合されることを特徴とする。
【００１４】
前記透光ランプシェードの頂点には開孔部が形成され、前記遮光マスクと前記レンズ中の少なくとも１つは前記開孔部を穿設することを特徴とする。
【００１５】
好ましくは、前記電球ケース本体はランプカップ、中間スリーブと口金部モジュールを含み、前記中間スリーブは前記ランプカップ内側を穿設し、前記中間スリーブは相対する両端を有し、前記中間スリーブの一端は前記口金部モジュールに接続され、前記中間スリーブの別の一端は前記第１回路基板に接続されることを特徴とする。
【００１６】
好ましくは、前記口金部モジュールは口金部内部チューブ、導体ケースと導電部材を含み、前記導体ケースは前記口金部内部スリーブの外側絶縁表面を囲み、前記導電部材は前記口金部内部チューブの底面に挿設されることを特徴とする。
【００１７】
好ましくは、前記電球ケース本体はさらに第１導電ピンと第２導電ピンを含み、前記第１導電ピンと前記第２導電ピンの第１端はそれぞれ前記駆動回路基板の前記２つの電極に電気的に接続され、前記導体ケースは前記口金部内部チューブに接合され、前記第１導電ピンの第２端は前記導体ケースと前記口金部内部チューブのスリットに伸び込み、前記第１導電ピンの第２端と前記導体ケースを電気的に接続させることを特徴とする。
【００１８】
好ましくは、前記電球ケース本体はさらに第１導電ピンと第２導電ピンを含み、前記第１導電ピンと前記第２導電ピンの第１端はそれぞれ前記駆動回路基板の前記２つの電極に電気的に接続され、前記導電部材は前記口金部内部チューブの底面が定める接続孔に設けられ、前記導電部材の少なくとも一部は前記口金部内部チューブ外に露出し、前記第２導電ピンの第２端は前記接続孔に挿入され、前記導電部材と電気的に接続されることを特徴とする。
【００１９】
好ましくは、前記感知装置はマイクロウェーブ（Ｍｉｃｒｏｗａｖｅ）感知部材であることを特徴とする。
【００２０】
好ましくは、さらに透光ランプシェードを含み、前記透光ランプシェードは前記発光モジュールを覆設し、前記電球ケース本体に接合されることを特徴とする。
【００２１】
好ましくは、前記電球ケース本体はランプカップ、中間スリーブと口金部モジュールを含み、前記中間スリーブは前記ランプカップ内側を穿設し、前記中間スリーブは両端を有し、前記中間スリーブの一端は前記口金部モジュールに接続され、前記中間スリーブの別の一端は前記第１回路基板に接続されることを特徴とする。
【００２２】
好ましくは、前記マイクロウェーブ感知部材は上部カバー、アンテナモジュール、増幅回路基板と下部カバーを含み、前記アンテナモジュールと前記増幅回路基板は前記上部カバーと前記下部カバーの間で挟設され、前記アンテナモジュールと前記増幅回路基板は相互に組み合わせられることを特徴とする。
【００２３】
好ましくは、前記口金部モジュールは口金部内部チューブ、導体ケースと導電部材を含み、前記導体ケースは前記口金部内部スリーブの外側の絶縁表面を囲み、前記導電部材は前記口金部内部チューブの底面に挿設されることを特徴とする。
【００２４】
好ましくは、前記電球ケース本体はさらに第１導電ピンと第２導電ピンを含み、前記第１導電ピンと前記第２導電ピンの第１端はそれぞれ前記駆動回路基板の前記２つの電極に電気的に接続され、前記導体ケースは前記口金部内部チューブに螺合され、前記第１導電ピンの第２端は前記導体ケースと前記口金部内部チューブのスリットに伸び込み、前記第１導電ピンの第２端と前記導体ケースを電気的に接続させることを特徴とする。
【００２５】
好ましくは、前記電球ケース体はさらに第１導電ピンと第２導電ピンを含み、前記第１導電ピンと前記第２導電ピンの第１端はそれぞれ前記駆動回路基板の前記２つの電極に電気的に接続され、前記導電部材は前記口金部内部チューブの底面が定める接続孔に設けられ、前記導電部材は少なくとも一部が前記口金部内部チューブ外に露出し、前記第２導電ピンの第２端は前記接続孔に挿入され、前記導電部材と電気的に接続されることを特徴とする。
【００２６】
好ましくは、前記電球ケース体は高熱伝導率の合金放熱板を含み、前記第１回路基板は前記電球ケース体の前記高熱伝導率の合金放熱板上に設けられることを特徴とする。
【００２７】
好ましくは、前記発光モジュールの前記第１回路基板の中央部近くの高さは周辺部近くの高さより高いことを特徴とする。
【００２８】
より目的を達成するために、本発明に係る感知照明装置は電球ケース本体と、前記電球ケース本体上に設けられ、環状開口部を有する第１回路基板と前記第１回路基板に設けられる複数の発光部材とを含む発光モジュールと、前記発光モジュールに電気的に接続され、人体赤外線（ＰＩＲ）感知部材が設けられる第２回路基板を少なくとも含むセンサーと駆動モジュールとから構成され、
前記第２回路基板は前記第１回路基板の前記環状開口部に穿設され、前記感知装置は前記これら発光部材によって囲まれることを特徴とする。
【００２９】
好ましくは、前記電球ケース本体は収納空間を定め、前記電球ケース本体の前記収納空間が前記発光モジュールの前記第１回路基板の前記環状開口部とつながるようにさせ、前記第２回路基板の一部を前記電球ケース本体の前記収納空間に収納する時、前記第２回路基板の別の一部は前記発光モジュールの前記第１回路基板の前記環状開口部に穿設され、前記環状開口部は前記第１回路基板の中央部分の近くに形成されることを特徴とする。
【００３０】
好ましくは、前記センサーと駆動モジュールはさらに遮光マスクを含み、前記遮光マスクは前記第１回路基板に接合され、前記第２回路基板上の前記人体赤外線感知部材を覆設し、前記人体赤外線感知部材と前記これら発光部材を隔離させ、前記これら発光部材は複数のＬＥＤ発光部材であることを特徴とする。
【００３１】
好ましくは、前記センサーと駆動モジュールはさらにレンズを含み、前記レンズは前記第１回路基板の一端から離れた前記遮光マスクに設けられ、前記レンズと前記遮光マスク内に覆設される前記人体赤外線感知部材の間には所定の距離を有するようにさせることを特徴とする。
【００３２】
好ましくは、本発明に係る感知照明装置はさらに前記透光ランプシェードを含み、前記透光ランプシェードは前記発光モジュールを覆設し、前記電球ケース本体に接合され、前記透光ランプシェードの頂点には開孔部が形成され、前記遮光マスクと前記レンズ中の少なくとも１つは前記開孔部を穿設することを特徴とする。
【００３３】
好ましくは、本発明に係る感知照明装置は電球ケース本体と、前記電球ケース本体上に設けられ、環状開口部を有する第１回路基板と前記第１回路基板に設けられる複数の発光部材とを含む発光モジュールと、前記発光モジュールに電気的に接続され、マイクロウェーブ感知部材が設けられる第２回路基板を少なくとも含むセンサーと駆動モジュールとから構成され、前記第２回路基板は前記第１回路基板の前記環状開口部に穿設され、前記感知装置は前記これら発光部材によって囲まれることを特徴とする。
【００３４】
好ましくは、前記電球ケース本体は収納空間を定め、前記電球ケース本体の前記収納空間が前記発光モジュールの前記第１回路基板の前記環状開口部とつながるようにさせ、前記第２回路基板の一部を前記電球ケース本体の前記収納空間に収納する時、前記第２回路基板の別の一部は前記発光モジュールの前記第１回路基板の前記環状開口部に穿設され、前記環状開口部は前記第１回路基板の中央部分の近くに形成されることを特徴とする。
【００３５】
好ましくは、前記マイクロウェーブ感知部材は上部カバー、アンテナモジュール、増幅回路基板と下部カバーを含み、前記アンテナモジュールと前記増幅回路基板は前記上部カバーと前記下部カバーの間で挟設され、前記アンテナモジュールと前記増幅回路基板は相互に組み合わせられることを特徴とする。
【００３６】
好ましくは、本発明に係る感知照明装置は電球ケース本体と、前記電球ケース本体上に設けられ、第１回路基板と前記第１回路基板に設けられる複数の発光部材とを含む発光モジュールと、前記発光モジュールと電気的に接続され、感知装置と前記第１回路基板と同じではない第２回路基板を含み、前記感知装置は前記第２回路基板上に設けられる感知モジュールとを含み、前記感知モジュールの前記第２回路基板は前記発光モジュールの前記第１回路基板の中央部分の近くで組み合わせられ、前記感知装置が前記これら発光部材によって囲まれるようにさせることを特徴とする。
【００３７】
好ましくは、前記第２回路基板は感知回路基板と駆動回路基板を含み、前記駆動回路基板と前記感知回路基板は電気的に接続され、前記感知装置は前記感知回路基板上に設けられ、前記駆動回路基板は２つの電極、駆動集積チップ、トランスを含むことを特徴とする。
【００３８】
好ましくは、前記感知モジュールは人体赤外線（ＰＩＲ）感知部材とマイクロウェーブ（Ｍｉｃｒｏｗａｖｅ）感知部材のいずれか１つであることを特徴とする。
【００３９】
好ましくは、前記電球ケース本体はさらに放熱ブロックを含み、前記放熱ブロックは前記駆動集積チップ及び／或いは前記トランスと直接当接することを特徴とする。
【００４０】
好ましくは、前記電球ケース本体はさらに放熱ブロックとシリコーンゲルガスケットを含み、前記シリコーンゲルガスケットは前記放熱ブロックと前記駆動回路基板の駆動集積チップの間に設けられ、及び／或いは前記シリコーンゲルガスケットは前記放熱ブロックとトランスの間に設けられることを特徴とする。
【００４１】
好ましくは、前記電球ケース本体はさらに高熱伝導率の合金放熱板とアルミニウム製放熱装置を含み、前記合金放熱板の平面と前記アルミニウム製放熱装置は接続され、前記合金放熱板の相対する別の平面は実装平面であり、前記第１回路基板を設置するために用いられることを特徴とする。
【発明の効果】
【００４２】
本発明の感知照明装置は感知装置と発光部材それぞれを少なくとも２つの回路基板に設け、少なくとも２つの回路基板の巧妙な設置により、その内部空間の使用を改善し、感知装置が複数の発光部材によって囲まれるようにさせ、照明範囲を均一にさせ、同時に感知装置は遮光マスクの保護を受けることができ、良好な検知能力を維持することができる。
【図面の簡単な説明】
【００４３】
【図１】本発明の第１実施形態による感知照明装置を示す傾斜の概略図である。
【図２】本発明の第１実施形態による感知照明装置を示す分解概略図である。
【図３】本発明の第１実施形態による感知照明装置を示す一部の組み合わせの傾斜の概略図である。
【図４】本発明の第１実施形態による感知照明装置を示す断面概略図である。
【図５】本発明の第２実施形態による感知照明装置を示す傾斜の概略図である。
【図６】本発明の第２実施形態による感知照明装置を示す断面概略図である。
【図７】本発明の第２実施形態による感知照明装置を示す分解概略図である。
【図８】本発明の第３実施形態による感知照明装置を示す分解概略図である。
【発明を実施するための形態】
【００４４】
以下に図面を参照して本発明を実施するための形態について、詳細に説明する。なお、本発明は、以下に説明する実施形態に限定されるものではない。まず、本発明の感知照明装置の第１実施形態について説明する。なお、本発明の第１実施形態の構成を図１から図４に示す。
【００４５】
（第１実施形態）
図１は本発明の第１実施形態による感知照明装置を示す傾斜の概略図であり、図２は本発明の第１実施形態による感知照明装置を示す分解概略図である。
【００４６】
本発明の感知照明装置１は電球ケース本体１１、発光モジュール１３とセンサーと駆動モジュール１５を含み、発光モジュール１３とセンサーと駆動モジュール１５はどれも電球ケース本体１１上に設けられる。発光モジュール１３はセンサーと駆動モジュール１５に電気的に接続され、好ましい実施形態では、発光モジュール１３とセンサーと駆動モジュール１５は電気的に接続され、相互に溶接されるか、或いは電気接続端子によって相互に電気的に接続される（図示せず）。さらに、発光モジュール１３は複数の発光部材１３１が設けられる第１回路基板１３０を含み、センサーと駆動モジュール１５は少なくとも感知装置１５１が設けられる第２回路基板１５０を含む。ここでは、前記これら発光部材１３１は複数のＬＥＤ発光部材である。上述の設置により、発光部材１３１は感知装置１５１が検知した周囲環境で人が動いているかどうかの検知結果に基づき、対応した点滅をする。
【００４７】
図３は本発明の第１実施形態による感知照明装置を示す一部の組み合わせの傾斜の概略図である。図２と図３によれば、第１回路基板１３０は開口部１３０ａを有し、第２回路基板１５０をその中に穿設し、組み立てられる。さらに、第１回路基板１３０は環状回路基板でもよく、環状回路基板が定める開口部１３０ａは環状孔であるか、或いは、第１回路基板１３０はＵ字型回路基板でもよく（図示せず）、Ｕ字型回路基板が定める開口部１３０ａは切り口である。もちろん、第１回路基板１３０が定める開口部１３０ａはその他異なる幾何学形式の設計でもよく、これに制限されない。
【００４８】
以上の設置によれば、複数個の回路基板の間の空間問題を解決することができ、回路基板構造体積において、相互に邪魔し合い制限を受けることを避けられる。このようにして、空間上の利用性を大幅に高め、部材の配置がより柔軟性を有するようにさせる。
【００４９】
上述したように、回路基板の体積構造が制限を受けることを解決することにより、感知装置は現有技術中で述べるように感知照明装置１の側面に設ける必要がなく、感知装置１５１を感知照明装置１の中央部分に設けることができ、感知装置１５１が検知するときの検知範囲を確保し、発光部材１３１の照射範囲が向く方向と同一方向である。
【００５０】
もちろん、もし回路基板の間に空間阻害の問題がなければ、第１回路基板１３０の構造をソリッドコア板体（図示せず）に変更してもよい。したがって、感知装置１５１が設けられる第２回路基板１５０は直接電気接続インターフェース（図示せず）によって第１回路基板１３０上に組み立てられ、上下両積層構造の回路モジュール（図示せず）を形成でき、より好ましくは、第１回路基板１３０の中央部分の近くに設けるが、もちろん、前述方法は一例にすぎず、これに制限を受けない。
【００５１】
これ以外に、発光部材１３１は感知装置１５１を囲むように設けられるため、円周式の３６０度照明を兼備え、感知装置１５１が発光部材１３１の特定方向に対する照射を遮ることがなく、感知照明装置１全体の発光効率を損なうことがない。
【００５２】
さらに、第１回路基板１３０の製造では、第１回路基板１３０の中央部分近くの高さは周辺部分近くの高さより高く、これにより高度差が形成され、発光部材１３１の光照射角度範囲を増大させ、照射輝度を高め、これは１つの可能な実施方法である（図６を参照）。
【００５３】
図２によれば、第１回路基板１３０の開口部１３０ａは好ましくは中央部分の近くであり、第１回路基板１３０は電球ケース本体１１上に積設され、第１回路基板１３０の開口部１３０ａが電球ケース本体１１の収納空間１１０とつながるようにさせる。この設置により、第２回路基板１５０の一部が電球ケース本体１１の収納空間１１０に収納されるとき、第２回路基板１５０の別の一部はそれぞれ発光モジュール１３の第１回路基板１３０の開口部１３０ａを穿設する。
【００５４】
以下ではそれぞれの２種類の異なる感知装置を実施形態として説明をする。本発明が応用される第１種類の感知装置の実施形態では、センサーと駆動モジュール１５の感知装置１５１は人体赤外線（ＰＩＲ）感知部材であり、本発明が応用される第２種類の感知装置の実施形態では、センサーと駆動モジュール１５の感知装置１５１はマイクロウェーブ（Ｍｉｃｒｏｗａｖｅ）感知部材である（図８を参照）。
【００５５】
この好ましい実施形態では、電球ケース本体１１はさらにランプカップ１１１、中間スリーブ１１２と口金部モジュール１１４を含み、収納空間１１０はランプカップ１１１の内側縁表面によって定められ、中間スリーブ１１２はランプカップ１１１内側に穿設され、第２回路基板１５０はさらに中間スリーブ１１２内側に穿設される。中間スリーブ１１２は相対する両端を有し、中間スリーブ１１２のうちの一端は口金部モジュール１１４に接続され、中間スリーブ１１２の別の一端は第１回路基板１３０の底部側に接続される。
【００５６】
さらに、センサーと駆動モジュール１５はさらに遮光マスク１５２を含み、中間スリーブ１１２が接合される第１回路基板１３０の別の側と相対し、第２回路基板１５０上の前記人体赤外線感知部材を覆設し、前記人体赤外線感知部材と発光部材１３１を隔離し、前記人体赤外線感知部材が発光部材１３１の光線や熱エネルギーによる干渉を受けることを避ける。ここで特に説明すべきは、当業者は遮光マスク１５２と中間スリーブ１１２を係合により設置すること容易に変更できるため、遮光マスク１５２と中間スリーブ１１２の接合位置と方法は制限されない。
【００５７】
より具体的には、センサーと駆動モジュール１５はさらにレンズ１５３を含み、レンズ１５３は第１回路基板１３０の一端から離れた遮光マスクに設けられ、レンズ１５３が遮光マスク１５２に接合されるとき、遮光マスク１５２内の前記人体赤外線感知部材１５１との間には所定の距離を有するようにさせる。なお、レンズ１５３と前記人体赤外線感知部材１５１の設けられる距離は、前記人体感知部材１５１が行う検知の精度に影響を与えるため、もし構造によって位置決めを行う組み立てであれば、レンズ１５３と前記人体赤外線感知部材１５１の距離を固定とすることが最も好ましい。本発明の方法によって、前記人体赤外線感知部材１５１は最も好ましい感知位置と高度が維持され、人による組み立てによる不確定な変動が容易に生じない。
【００５８】
これ以外に、感知照明装置１は透光ランプシェード１７を含み、透光ランプシェード１７は発光モジュール１３を覆設し、電球ケース本体１１に接合される。なお、遮光マスク１５２の設置により、透光ランプシェード１７の頂点には開孔部１７ａが形成され、遮光マスク１５２とレンズ１５３中の少なくとも１つは開孔部１７ａを穿設、突出、或いは平らに揃え、より好ましい検知視野を獲得する。
【００５９】
図４は本発明の第１実施形態による感知照明装置を示す断面の概略図である。図２と図３によれば、第２回路基板１５０は感知回路基板１５０ａと駆動回路基板１５０ｂを含み、感知回路基板１５０ａは駆動回路基板１５０ｂの実装部１５０ｆに組み立てられ、駆動回路基板１５０ｂと電気的に接続される。好ましい接続方法は、感知回路基板１５０ａと駆動回路基板１５０ｂが垂直になるように設け、感知回路基板１５０ａ上に設けられる感知装置１５１の検知方向と駆動回路基板１５０ｂの収納方向を平行にさせ、収納を便利にさせる。
【００６０】
また、駆動回路基板１５０ｂは２つの電極１５０ｃ、駆動集積チップ１５０ｄとトランス１５０ｅを含む。これ以外に、電球ケース本体１１はさらに放熱ブロック１５５ａを含み、放熱ブロック１５５ａは駆動集積チップ１５０ｄとトランス１５０ｅの少なくとも１つと直接当接し、或いは、シリコーンゲルガスケット１５５ｂによって、駆動集積チップ１５０ｄとトランス１５０ｅの少なくとも１つと間接的に当接し、シリコーンゲルガスケット１５５ｂはフレキシブル可撓であり、熱を容易に伝導するという特性により、シリコーンゲルガスケット１５５ｂは駆動集積チップ１５０ｄとトランス１５０ｅのうちの少なくとも１つに付着し、放熱の動作を伝達することを助ける。
【００６１】
この好ましい実施形態では、電球ケース本体１１４は口金部内部チューブ１１４ａ、導体ケース１１４ｂと導電部材１１４ｃを含み、導体ケース１１４ｂは口金部チューブ１１４ａの外側縁表面を囲み、導電部材１１４ｃは口金部チューブ１１４ａの底面に挿設される。口金部内部チューブ１１４ａは絶縁物質であり、導体ケース１１４ｂと導電部材１１４ｃはそれぞれ口金部チューブ１１４ａと結合した後、導体ケース１１４ｂと導電部材１１４ｃは電源と電気的に接続する２つの電気接点として使用することができる。
【００６２】
より詳しくは、電球ケース本体１１はさらに第１導電ピン１１７と第２導電ピン１１８を含み、第１導電ピン１１７と第２ピン１１８の第１端はそれぞれ駆動回路基板１５０ｂの２つの電極１５０ｃに電気的に接続される。
【００６３】
次に、第１導電ピン１１７と第２導電ピン１１８の第２端に対して説明する。導体ケース１１４ｂは口金部内部チューブ１１４ａを覆うため、導体ケース１１４ｂを電気接点とし、第１導電ピン１１７の第２端は導体ケース１１４ｂと口金部チューブ１１４ａのスリットに伸び込むため、第１導電ピン１１７の第２端と導体ケース１１４ｂは電気的に接続される。
【００６４】
これ以外に、導電部材１１４ｃは口金部チューブ１１４ａの底部が定める接続孔１１４ｄを穿設し、これにより導電部材１１４ｃの少なくとも一部が口金部チューブ１１４ａ外に露出するようにさせ、別の電気接点とし、第２導電ピン１１８の第２端を接続孔１１４ｄに挿入することにより、導電部材１１４ｃと電気的に接続させる。
【００６５】
上述の設置によれば、第１導電ピン１１７と第２導電ピン１１８はそれぞれ導体ケース１１４ｂと導電部材１１４ｃと接続され、電気的な接続を行い、組み立てる上でより便利であり、さらに生産効率を高め、コストを低減させることができる。
【００６６】
もちろん、駆動回路基板１５０ｂと導体ケース１１４ｂ、導電部材１１４ｃの間の電気的な接続を達成できるのであれば、本発明の代替手段として使用することができ、前述の実施方法に制限されない。
【００６７】
次は、本発明の検知の照明装置の第２実施形態について説明する。
【００６８】
（第２実施形態）
図５は本発明の第２実施形態による感知照明装置を示す傾斜の概略図であり、図６は本発明の第２実施形態による感知照明装置を示す断面概略図であり、図７は本発明の第２実施形態による感知照明装置を示す分解概略図である。
【００６９】
図６によれば、この好ましい実施形態では、感知照明装置２は電球ケース本体２１、発光モジュール２３、センサーと駆動モジュール２５を含む。発光モジュール２３の第１回路基板２３０の中央部分近くの高さは周辺部分近く高さより高く、より好ましくは、第１回路基板２３０は５度の傾斜角度によって、周辺部分近くから中央部分に向かって隆起し、第１回路基板２３０上に設けられる複数の発光部材２３１と共同の照明角度を拡大し、最良の光照射範囲と輝度を獲得する。
【００７０】
図５から図７によれば、電球ケース本体２１はランプカップ２１１と口金部モジュール２１２を含み、ランプカップ２１１は高熱伝導率の合金放熱シート２１１１とアルミニウム製放熱装置２１１２を含み、合金放熱シート２１１１はアルミニウム製放熱装置２１１２の頂点部に接続して設置され、アルミニウム製放熱装置２１１２の外観は放射線状フィンセットであり、良好な放熱効果を達成する。さらに、実装平面２１１０はアルミニウム製放熱装置２１１２の別の一面と相対する合金放熱シート２１１１に形成され、第１回路基板２３０を実装平面２１１０上に設けられることによって、伝導の方式で、第１回路基板２３０が発する熱を十分に放散する。
【００７１】
換言すれば、合金放熱シート２１１１とアルミニウム製放熱装置は一体成形することができ、本実施形態の組み立て方式によって結合することもできる。より好ましくは、合金放熱シート２１１１はアルミニウム合金材料によって製造されるアルミニウム合金放熱シートであるか、或いは、マグネシウムリチウム合金材料によって製造されるマグネシウムリチウム合金放熱シートであるか、或いは、アルミニウムマグネシウム合金材料によって製造されるアルミニウムマグネシウム合金放熱シード等高伝導率係数を有する合金材料のいずれかから選ぶことが出来る。
【００７２】
また、この好ましい実施形態では、センサーと駆動モジュール２５は感知装置２５１、光センサー２５８と第２回路基板２５０を含む。なお、感知装置２５１と光センサー２５８は共に第２回路基板２５０上に設けられ、本実施形態では、光センサー２５８は感知装置２５１に隣接して設けられる。光センサー２５８の機能は環境光を検知することであり、光源が不足している状況下で、発光モジュール２３を制御し、光補足の動作を行う。第１実施形態と類似して、第１回路基板２３０は開口部２３０ａを有し、第２回路基板２５０は第１回路意版２３０の開口部２３０ａを穿設し、これにより回路基板の間で相互に邪魔し合うことを避けることができ、最も効率的な空間利用を達成することができる。
【００７３】
次は、本発明の感知照明装置の第３実施形態について説明する。
【００７４】
（第３実施形態）
図８は本発明の第３実施形態による感知照明装置を示す分解概略図である。この好ましい実施形態では、感知照明装置３は電球ケース本体３１、発光モジュール３３、センサーと駆動モジュール３５と透光ランプシェード３８を含む。電球ケース本体３１と発光モジュール３３の構造と機能上は前２つの実施形態と類似するため、ここでは無駄な記述を省略する。
【００７５】
ちなみに、本実施形態中のセンサーと駆動モジュール３５は感知装置３５４と第２回路基板３５５を含み、前２つの実施形態と類似し、第２回路基板３５５は発光モジュール３３が定める開口部３３０ａを穿設する。第３実施形態が前述の第１実施形態と第２実施形態と異なる点は第２回路基板３５５が駆動回路基板であり、感知装置３５４がマイクロウェーブ（Ｍｉｃｒｏｗａｖｅ）感知部材である点である。マイクロウェーブ検知と赤外線検知の特性は同じではないため、前述第１実施形態と第２実施形態では、人体赤外線（ＰＩＲ）感知部材は遮光マスク１５２によって発光部材１３１と隔離する必要があったが、マイクロウェーブ感知部材はその必要がないため、第３実施形態では遮光マスクとレンズなどの部材を設置する必要がなく、透光ランプシェード３８は完全な弧の形であり、開孔の存在はない。
【００７６】
より詳しくは、マイクロウェーブ部材は上部カバー３５４ａ、アンテナモジュール３５４ｂ、増幅回路基板３５４ｃと下部カバー３５４ｄを含む。アンテナモジュール３５４ｂと増幅回路基板３５４ｃは上部カバー３５４ａと下部カバー３５４ｄの間に挟まれ、アンテナモジュール３５４ｂと増幅回路基板３５４ｃは相互に組み立てられる。
【００７７】
増幅回路基板３５４ｃと第２回路基板３５５のより好ましい接続方式は、増幅回路基板３５４ｃが陽極プラグ３５４０を有し、第２回路基板３５５は陰極接続スロット３５５０を有し、陽極プラグ３５４０と陰極接続スロット３５５０は相互に配置され、増幅回路基板３５４ｃと第２回路基板３５５は電気的に接続される。もちろん、この接続方式は例えば係合や溶接といったその他方式でもよく、これに制限されない。
【００７８】
この装置によれば、マイクロウェーブ感知部材が周囲環境で人が動いているかどうかの感知結果を判断し、発光部材の点滅を制御し、省エネ効果を達成することができる。
【００７９】
上述した通り、本発明の感知照明装置は感知装置と発光部材をそれぞれ少なくとも２つの回路基板に設け、少なくとも２つの回路基板の巧妙な設置により、その内部空間の使用を改善し、感知装置が複数の発光部材によって囲まれるようにさせ、照明範囲を均一にさせ、同時に感知装置は遮光マスクの保護を受けることができ、良好な検知能力を維持することができる。
【００８０】
以上、本発明の実施形態について図面を参照して詳述したが、具体的な構成はこの実施形態に限られるものではなく、本発明の要旨を逸脱しない範囲の設計変更等も含まれる。
【図１】
2014517485.tif 000003
【図２】
2014517485.tif 000004
【図３】
2014517485.tif 000005
【図４】
2014517485.tif 000006
【図５】
2014517485.tif 000007
【図６】
2014517485.tif 000008
【図７】
2014517485.tif 000009
【図８】
2014517485.tif 000010
【国際調査報告】
2014517485.tif 000011
2014517485.tif 000012
2014517485.tif 000013
2014517485.tif 000014
2014517485.tif 000015
2014517485.tif 000016
2014517485.tif 000017
2014517485.tif 000018